(57)【要約】      （修正有）【課題】小形、軽量、持ち運びおよび操作の容易な携帯電話の形状にある熱撮像装置を提供する。【解決手段】ハウジングと赤外線撮像システムとを備え、ハウジングが、ファンクションキーと表示画面とを表面に有している携帯電話の形状にあり、レンズが、ハウジングの上端部にあり、検出器が、ハウジングの内部の上側に配置されていることを特徴とする携帯電話型熱撮像装置である。【選択図】図１
0003113840.tif 000002
【実用新案登録請求の範囲】
【請求項１】
ハウジングと赤外線撮像システムとを備え、ハウジングが、ファンクションキー（１１）と表示画面とを表面に有している携帯電話の形状にあり、レンズ（１）が、ハウジングの上端部にあり、検出器（９）が、ハウジングの内部の上側に配置されていることを特徴とする携帯電話型熱撮像装置。
【請求項２】
大表示画面（８）とファンクションキー（１１）とがハウジングの前方表面（６）に備え付けられていることを特徴とする請求項１に記載の携帯電話型熱撮像装置。
【請求項３】
ハウジングにふた（３）が備え付けられ、ふた（３）はハウジングの前方表面（６）に連結され、ふた（３）に大表示画面（８）が配置され、さらに、ファジクションキー（１１）はハウジングの前方表面（６）に配置されていることを特徴とする請求項１に記載の携帯電話型熱撮像装置。
【請求項４】
ハウジングの前方表面（６）に小表示画面（４）が備え付けられていることを特徴とする請求項２または３に記載の携帯電話型熱撮像装置。
【請求項５】
ハウジングの内部の上側にシャッター（２）が備え付けられていることを特徴とする請求項１〜３のいずれか１つに記載の携帯電話型熱撮像装置。
【請求項６】
ハウジングの内部の上側にレーザー式位置指定装置（１４）がさらに備え付けられていることを特徴とする請求項５に記載の携帯電話型熱撮像装置。
【請求項７】
ハウジングの内部にスピーカー（１５）およびマイクロフォン（５）がさらに備え付けられていることを特徴とする請求項５に記載の携帯電話型熱撮像装置。
【請求項８】
ハウジングにＵＳＢインターフェイス（１２）が備え付けられていることを特徴とする請求項１〜３のいずれか１つに記載の携帯電話型熱撮像装置。
【考案の詳細な説明】
【技術分野】
【０００１】
本考案は、光電子製品に関するものであり、さらに詳しくは、赤外線撮像アセンブリを備え、携帯電話の形状をしている熱撮像装置に関するものである。
【背景技術】
【０００２】
市場において広く使用されている非冷却式の焦点面アレイ素子型赤外線熱撮像装置は、赤外線検出器と、光学撮像システムと、表示装置とを備えてなる光電子システムである。このシステムは、物体によって放射された赤外線エネルギーを赤外線検出器の感光性素子で受け、次いでその検出器が赤外線エネルギーを電気信号に変換するものである。この電気信号は増幅および処理の後に標準ビデオ信号に変換され、このビデオ信号はＣＲＴあるいはＬＣＤによって赤外線熱画像として表示される。この熱画像はその物体の表面における熱的分布に対応するものである。現に、赤外線照射の熱的分布画像は、可視光画像に比べると、信号が弱いために強度および立体感覚が足りない。従って、実際問題として物体の熱的分布をいっそう効果的に測定するためには、何らかの補助手段を採用して機能を向上させることが必要である。
【０００３】
赤外線撮像機器としての熱撮像装置には、非接触式であり、迅速であり、また、移動物体およびきわめて小さい物体における温度を測定することができるなどの赤外線温度計の利点がすべて備わっている。加えて、熱撮像装置には、物体表面の熱的分布の鮮明な表示、高い温度分解能、多重表示法、データーの保存・処理などのような、他のいくつかの利点が備わっている。さらに、赤外線熱撮像装置は、医療、公安、消防、考古学、輸送、農業、地質学などに広く応用されてきた。
【考案の開示】
【考案が解決しようとする課題】
【０００４】
しかしながら、市販されている大部分の熱撮像装置には、寸法が大きい、重さが重い、持ち運びや操作が容易でない、という欠点がある。
【０００５】
本考案の目的は、従来技術における上記のような欠点を克服して、新規に設計された、携帯電話の形状にある熱撮像装置を提供することにある。
【課題を解決するための手段】
【０００６】
そして、本考案によれば、ハウジングが、ファンクションキーと表示画面とを表面に有している携帯電話の形状にあり、レンズが、ハウジングの上端部にあり、検出器が、ハウジングの内部の上側に配置されている携帯電話型熱撮像装置が提供される。
【考案の効果】
【０００７】
本考案に係る熱撮像装置には、次の利点がある。
【０００８】
１．新規な構想、信頼できる性能および販売促進の容易さ
２．コンパクトなデザイン、無理のないレイアウト、軽量、高いコストパフォーマンス、持ち運びおよび操作の容易さ
３．洗練された外観：形状は携帯電話に類似している。
【０００９】
４．汎用性：現存するすべての熱撮像装置に代替することができる。
【考案を実施するための最良の形態】
【００１０】
本考案に係る熱撮像装置は、実施例および添付図面とともに以下の記載においてさらに説明される。
【００１１】
本考案によれば、例えば図１および図５に示されたように、ハウジングが、ファンクションキー（１１）と表示画面とを表面に有しているまさに携帯電話のようなものであり、レンズ（１）が、ハウジングの上端部にあり、検出器（９）が、ハウジングの内部の上側に配置されている携帯型熱撮像装置が提供される。
【００１２】
例えば、本考案の熱撮像装置は２種類の形状のデザインを採用することができる。その１つの種類は、まさに折り畳み式携帯電話のようなものであり（図１、図２、図３および図４を参照）、ここで、ハウジングにはふた（３）が備え付けられ、ふた（３）は回転子（１０）によってハウジングの前方表面（６）に連結され、さらに、ふた（３）には大表示画面（８）とファンクションキー（１１）とが配置されている。場合によっては、ハウジングの前方表面（６）に小表示画面（４）が備え付けられていてもよい。もう１つの種類は平板式携帯電話のようなものである（図５を参照）。ハウジングの前方表面（６）には大表示画面（図示略）とファンクションキー（１１）とが配置されている。場合によっては、前方表面（６）に小表示画面（４）が備え付けられていてもよい。小表示画面（４）は時間、温度、電池容量などを表示するために使用される。
【００１３】
必要であれば、ハウジングの内部には、シャッター（２）、マイクロフォン（５）、スピーカー（１５）、レーザー式位置指定装置（laser locator）（１４）、音声記録装置などのような多くのモジュールを取り付けてもよい。場合によっては、ＵＳＢインターフェイス（１２）をハウジングの側面に設計してもよい。シャッター（２）およびレーザー式位置指定装置（１４）はハウジングの内部の上側にある。ハウジングの裏側表面（１７）には電池室カバー（１６）がある。図における符号（７）および符号（１３）はブランドおよび電池をそれぞれ表している。
【００１４】
本考案に係る熱撮像装置の作動原理は、通常のものであり、従来技術のそれと同じである。
【図面の簡単な説明】
【００１５】
【図１】本考案に係る熱撮像装置の構成模式図である。
【図２】本考案に係る熱撮像装置の左側面構成模式図である。
【図３】本考案に係る熱撮像装置の平面模式図である。
【図４】開放位置にあるふた（３）が示された本考案に係る熱撮像装置の左側面模式図である。
【図５】本考案に係る熱撮像装置の別の実施形態の構成模式図である。
【図６】本考案に係る熱撮像装置の背面模式図である。
【図１】
0003113840.tif 000003
【図２】
0003113840.tif 000004
【図３】
0003113840.tif 000005
【図４】
0003113840.tif 000006
【図５】
0003113840.tif 000007
【図６】
0003113840.tif 000008